(57)【要約】【課題】  種子の形成、成熟を促進するキク科に属する植物の栽培方法を提供する。【解決手段】  キク科に属する植物の栽培方法であって、受粉させる工程、及び、種子を形成、成熟させる工程を含み、該種子形成、成熟工程における栽培温度を該受粉工程における栽培温度よりも５℃以上１０℃以下上昇させることで、種子の形成、成熟を促進するキク科に属する植物の栽培方法に関する。【選択図】なし【特許請求の範囲】
【請求項１】
キク科に属する植物の栽培方法であって、
受粉させる工程、及び、種子を形成、成熟させる工程を含み、
該種子形成、成熟工程における栽培温度を該受粉工程における栽培温度よりも５℃以上１０℃以下上昇させることで、種子の形成、成熟を促進するキク科に属する植物の栽培方法。
【請求項２】
前記種子形成、成熟工程における栽培温度が、２５℃以下である請求項１記載のキク科に属する植物の栽培方法。
【請求項３】
キク科に属する植物が、Ｔａｒａｘａｃｕｍ属に属する植物である請求項１又は２記載のキク科に属する植物の栽培方法。
【請求項４】
キク科に属する植物が、Ｔａｒａｘａｃｕｍ  ｋｏｋ−ｓａｇｈｙｚ、又はＴａｒａｘａｃｕｍ  ｂｒｅｖｉｃｏｒｎｉｃｕｌａｔｕｍである請求項１〜３のいずれかに記載のキク科に属する植物の栽培方法。
【発明の詳細な説明】
【技術分野】
【０００１】
本発明は、キク科に属する植物の栽培方法に関する。
【背景技術】
【０００２】
現在、産業的に利用されている天然ゴムは、パラゴムノキ（Ｈｅｖｅａ  ｂｒａｓｉｌｉｅｎｓｉｓ）由来である。しかしながら、パラゴムノキは栽培可能地域が限られていることから、天然ゴムを産生する代替植物の必要性が叫ばれている。
【０００３】
天然ゴムを産生する代替植物の１つとして、根から天然ゴムの採取が可能であり、また栽培地域として温帯地域も選択可能であるロシアンタンポポ（Ｔａｒａｘａｃｕｍ  ｋｏｋ−ｓａｇｈｙｚ）が注目されており、ゴムの抽出方法の開発が進められている。
【０００４】
一方、目的に合った農作物を新しく生み出す方法として、多くの場合交雑育種方法が用いられる。この方法は異なる性質の品種を交配し（掛け合わせ）、新しい性質を有する品種を作成する方法である。交配のためには、植物体に花を咲かせ、受粉させ、種子を形成させる必要がある。このように、交雑育種方法を用いる場合には種子を形成させる必要がある。
【０００５】
植物が種子を形成するためには、花粉が柱頭に付着する受粉だけでは十分でなく、受粉後、柱頭に付着した花粉から花粉管が胚珠まで到達し、花粉管の中の精細胞と胚珠の中の卵細胞が結合して受精し、受精卵が発達することで種子が形成される。
【０００６】
植物の種子形成、種子成熟（果実の形成）のため、特に、果樹農業分野では、受粉時に結実促進剤を散布するなどして受粉率、結実率を高めるための研究が行われてきた。
【０００７】
例えば、特定のシクロヘキサン誘導体及び／又はその塩を有効成分として含有する剤を施用することで、バラ科作物の果実の結実を促進する方法（例えば、特許文献１参照）や、ポリアミンを有効成分とする着果促進剤を用いることで、果菜類又は穀実等の着果を促進する方法（例えば、特許文献２参照）などが提案されている。
【０００８】
その他、ブルーベリー等の植物を休眠後において低温にて保存する際にエチレンを除去することで、花の老化を抑制して、受粉、受精率を向上できる植物栽培方法なども提案されている（例えば、特許文献３参照）。
【先行技術文献】
【特許文献】
【０００９】
【特許文献１】特開２０１４−１５０７４４号公報
【特許文献２】特開２００４−３３１５０７号公報
【特許文献３】特開２０１４−７９８８号公報
【発明の概要】
【発明が解決しようとする課題】
【００１０】
上述したように、天然ゴムを産生する代替植物の１つとして、ロシアンタンポポ（Ｔａｒａｘａｃｕｍ  ｋｏｋ−ｓａｇｈｙｚ）が注目されており、例えばゴム高生産品種や高性能ゴム生産品種といったより望ましい品種のロシアンタンポポを作成するために、今後、交雑育種方法による品種改良が必要になってくることが見込まれる。その場合、ロシアンタンポポの効率的な交配条件の検討が必要となる。
【００１１】
しかしながら、植物の種子の形成や成熟を促進させる方法といった種子形成に関する知見は、これまで、果実を生産する必要のある果樹において検討されていたため、ロシアンタンポポなどのキク科に属する植物において種子形成、成熟を促進させる方法は、これまで検討されておらず、キク科に属する植物の種子形成に関する知見は見当たらないのが現状である。
【００１２】
本発明は、前記課題を解決し、種子の形成、成熟を促進するキク科に属する植物の栽培方法を提供することを目的とする。
【課題を解決するための手段】
【００１３】
本発明者は、これまで検討されてこなかったキク科に属する植物において種子形成、成熟を促進させる方法について鋭意検討した結果、受粉後に、特定の温度上昇幅で温度を上げて栽培することにより、種子の形成、成熟を促進できることを見出し、本発明を完成した。
【００１４】
すなわち、本発明は、キク科に属する植物の栽培方法であって、受粉させる工程、及び、種子を形成、成熟させる工程を含み、該種子形成、成熟工程における栽培温度を該受粉工程における栽培温度よりも５℃以上１０℃以下上昇させることで、種子の形成、成熟を促進するキク科に属する植物の栽培方法に関する。
【００１５】
前記種子形成、成熟工程における栽培温度は、２５℃以下であることが好ましい。
【００１６】
キク科に属する植物は、Ｔａｒａｘａｃｕｍ属に属する植物であることが好ましい。
【００１７】
キク科に属する植物は、Ｔａｒａｘａｃｕｍ  ｋｏｋ−ｓａｇｈｙｚ、又はＴａｒａｘａｃｕｍ  ｂｒｅｖｉｃｏｒｎｉｃｕｌａｔｕｍであることが好ましい。
【発明の効果】
【００１８】
本発明のキク科に属する植物の栽培方法は、受粉させる工程、及び、種子を形成、成熟させる工程を含み、該種子形成、成熟工程における栽培温度を該受粉工程における栽培温度よりも５℃以上１０℃以下上昇させることで、種子の形成、成熟を促進することができる。
【図面の簡単な説明】
【００１９】
【図１】ロシアンタンポポの成熟した種子と未成熟の種子を並べた写真である。
【発明を実施するための形態】
【００２０】
本発明のキク科に属する植物の栽培方法は、受粉させる工程、及び、種子を形成、成熟させる工程を含み、該種子形成、成熟工程における栽培温度を該受粉工程における栽培温度よりも５℃以上１０℃以下上昇させることで、種子の形成、成熟を促進するキク科に属する植物の栽培方法である。
【００２１】
本発明では、キク科に属する植物を栽培する際に、種子を形成、成熟させる工程（種子形成、成熟工程）における栽培温度を、受粉させる工程（受粉工程）における栽培温度よりも５℃以上１０℃以下という特定の温度範囲で上昇させることで、種子の形成、成熟を促進することができる。すなわち、キク科に属する植物の栽培温度を特定の範囲で変更するという簡便な手法により、種子の形成、成熟を促進することができる。このように、本発明では、キク科に属する植物の栽培温度を変更するという簡便な手法により、種子形成、成熟をコントロールできる。
【００２２】
また、本発明では、キク科に属する植物の種子形成、成熟をコントロールできるため、キク科に属する植物の種子形成、成熟を促し、多くの種子を形成させ、成熟を促すことで、成熟種子の獲得率を上げることができる。
【００２３】
このことから、本発明によれば、交配後の種子獲得率を上げることで、交雑育種方法でのＦ１世代の種子を多く獲得することができる。それにより、Ｆ１世代を評価する際のサンプル数を確保でき、正しくＦ１世代を評価することができる。更には、種子獲得数を上げることで、実際に産業利用する際に必要となると考えられる大量の種子の獲得に必要な時間を短縮することができる。
【００２４】
更には、受粉工程を人為的に行う人工受粉により行う場合には、受粉回数を少なくしても目的量の種子を獲得することが可能となる。そのため、受粉に必要な人件費や植物の栽培に必要なスペース、コストを少なくすることができる。
【００２５】
本発明の方法が適用できるキク科（Ａｓｔｅｒａｃｅａｅ）に属する植物としては、特に限定されないが、Ｓｏｎｃｈｕｓ属、Ｓｏｌｉｄａｇｏ属、Ｈｅｌｉａｎｔｈｕｓ属、Ｔａｒａｘａｃｕｍ属、Ｌａｃｔｕｃａ属に属する植物等が挙げられる。
【００２６】
Ｓｏｎｃｈｕｓ属に属する植物としては、ノゲシ（Ｓｏｎｃｈｕｓ  ｏｌｅｒａｃｅｕｓ）、オニノゲシ（Ｓｏｎｃｈｕｓ  ａｓｐｅｒ）、ハチジョウナ（Ｓｏｎｃｈｕｓ  ｂｒａｃｈｙｏｔｕｓ）、タイワンハチジョウナ（Ｓｏｎｃｈｕｓ  ａｒｖｅｎｓｉｓ）等が挙げられる。
【００２７】
Ｓｏｌｉｄａｇｏ属に属する植物としては、セイタカアワダチソウ（Ｓｏｌｉｄａｇｏ  ａｌｔｉｓｓｉｍａ）、アキノキリンソウ（Ｓｏｌｉｄａｇｏ  ｖｉｒｇａｕｒｅａ  ｓｕｂｓｐ．  ａｓｉａｔｉｃａ）、ミヤマアキノキリンソウ（Ｓｏｌｉｄａｇｏ  ｖｉｒｇａｕｒｅａ  ｓｕｂｓｐ．  ｌｅｉｐｃａｒｐａ）、キリガミネアキノキリンソウ（Ｓｏｌｉｄａｇｏ  ｖｉｒｇａｕｒｅａ  ｓｕｂｓｐ．  ｌｅｉｐｃａｒｐａ  ｆ．  ｐａｌｕｄｏｓａ）、オオアキノキリンソウ（Ｓｏｌｉｄａｇｏ  ｖｉｒｇａｕｒｅａ  ｓｕｂｓｐ．  ｇｉｇａｎｔｅａ）、オオアワダチソウ（Ｓｏｌｉｄａｇｏ  ｇｉｇａｎｔｅａ  Ａｉｔ．  ｖａｒ．  ｌｅｉｏｐｈｙｌｌａ  Ｆｅｒｎａｌｄ）等が挙げられる。
【００２８】
Ｈｅｌｉａｎｔｈｕｓ属に属する植物としては、ヒマワリ（Ｈｅｌｉａｎｔｈｕｓ  ａｎｎｕｕｓ）、シロタエヒマワリ（Ｈｅｌｉａｎｔｈｕｓ  ａｒｇｏｐｈｙｌｌｕｓ）、ヘリアンサス・アトロルベンス（Ｈｅｌｉａｎｔｈｕｓ  ａｔｒｏｒｕｂｅｎｓ）、ヒメヒマワリ（Ｈｅｌｉａｎｔｈｕｓ  ｄｅｂｉｌｉｓ）、コヒマワリ（Ｈｅｌｉａｎｔｈｕｓ  ｄｅｃａｐｅｔａｌｕｓ）、ジャイアントサンフラワー（Ｈｅｌｉａｎｔｈｕｓ  ｇｉｇａｎｔｅｕｓ）等が挙げられる。
【００２９】
Ｔａｒａｘａｃｕｍ属に属する植物としては、タンポポ（Ｔａｒａｘａｃｕｍ）、エゾタンポポ（Ｔａｒａｘａｃｕｍ  ｖｅｎｕｓｔｕｍ  Ｈ．Ｋｏｉｄｚ）、シナノタンポポ（Ｔａｒａｘａｃｕｍ  ｈｏｎｄｏｅｎｓｅ  Ｎａｋａｉ）、カントウタンポポ（Ｔａｒａｘａｃｕｍ  ｐｌａｔｙｃａｒｐｕｍ  Ｄａｈｌｓｔ）、カンサイタンポポ（Ｔａｒａｘａｃｕｍ  ｊａｐｏｎｉｃｕｍ）、セイヨウタンポポ（Ｔａｒａｘａｃｕｍ  ｏｆｆｉｃｉｎａｌｅ  Ｗｅｂｅｒ）、ロシアンタンポポ（Ｔａｒａｘａｃｕｍ  ｋｏｋ−ｓａｇｈｙｚ）、Ｔａｒａｘａｃｕｍ  ｂｒｅｖｉｃｏｒｎｉｃｕｌａｔｕｍ等が挙げられる。
【００３０】
Ｌａｃｔｕｃａ属に属する植物としては、レタス（Ｌａｃｔｕｃａ  ｓａｔｉｖａ）、アキノノゲシ（Ｌａｃｔｕｃａ  ｉｎｄｉｃａ）等が挙げられる。
【００３１】
なかでも、本発明の方法は、Ｔａｒａｘａｃｕｍ属に属する植物に好適に適用でき、ロシアンタンポポ（Ｔａｒａｘａｃｕｍ  ｋｏｋ−ｓａｇｈｙｚ）、又はＴａｒａｘａｃｕｍ  ｂｒｅｖｉｃｏｒｎｉｃｕｌａｔｕｍにより好適に適用できる。
【００３２】
本発明のキク科に属する植物の栽培方法は、種子形成、成熟工程における栽培温度を受粉工程における栽培温度よりも５℃以上１０℃以下上昇させることで、種子の形成、成熟を促進する。
【００３３】
本発明のキク科に属する植物の栽培方法は、受粉させる工程（受粉工程）、及び、種子を形成、成熟させる工程（種子形成、成熟工程）を含む限り、その他の工程を含んでいてもよい。
通常、植物は、栄養成長期を経て生殖成長期へと移行し、生殖成長期において、花芽を形成し、花茎が伸長して、その後開花するが、本発明においては、これら各ステージの栽培を行う工程を含んでいてもよい。これら各ステージの栽培を行う工程は、通常公知の栽培方法により行うことができる。
【００３４】
なお、例えば、栄養成長期の植物は、種子から植物を生育させることにより得ることができる。また、挿し穂や接ぎ木を生育させることによっても得ることができる。
【００３５】
ここで、本発明において、栄養成長期とは、茎や葉が大きくなる期間を意味し、生殖成長期とは、花芽を形成し、花茎が伸長する期間を意味する。また、花芽とは、花になる芽を意味する。
【００３６】
上記受粉工程は、開花の後に行われるが、該受粉の形態は、特に限定されず、同じ個体の花同士による自家受粉であってもよいし、異なる個体の花同士による他家受粉であってもよいが、他家受粉が好ましい。
【００３７】
上記受粉工程における受粉の方法は、特に限定されず、異なる又は同じ個体の花同士をこすり合わせるなどの人為的な方法により受粉させてもよいし、風媒や虫媒などの自然な方法により受粉させてもよい。
【００３８】
上述のように、人為的な方法により受粉させる場合には、花が開いている時間帯に受粉操作を行うことが好ましい。例えば、ロシアンタンポポの場合には、明期に花が開き、暗期には花がしぼむため、受粉操作を明期に行うことが好ましい。
【００３９】
また、上記受粉操作を行う期間（受粉工程の期間）は、特に限定されず、植物種に応じて適宜設定することができるが、例えば、タンポポの場合には、花が外側から成熟し、数日（２、３日程度）の間に徐々に内側へと成熟が進行することから、受粉操作は開花後数日間連続して行うことが好ましい。具体的には、例えば、受粉工程の期間は１〜５日であることが好ましく、２〜４日であることがより好ましく、２〜３日であることが更に好ましい。
【００４０】
上記受粉工程における栽培温度は、後述する温度差を達成できる限り特に限定されないが、好ましくは２０℃以下、より好ましくは１８℃以下である。また、好ましくは１５℃以上、より好ましくは１６℃以上である。受粉工程における栽培温度が上記温度範囲内であると、生育不良を起こすことなく、十分に受粉させることができる。
【００４１】
本発明では、適宜設定された受粉操作を行う期間経過後、任意のタイミングで栽培温度を上昇させる。具体的には、栽培温度を受粉工程における栽培温度よりも５℃以上１０℃以下上昇させることにより、すなわち、種子形成、成熟工程における栽培温度を受粉工程における栽培温度よりも５℃以上１０℃以下という特定範囲の幅で上昇させることにより、種子の形成、成熟を促進する。
【００４２】
上述のとおり、１０℃≧（種子形成、成熟工程における栽培温度）−（受粉工程における栽培温度）≧５℃である。当該温度差（温度変化幅）の上限として９℃が好ましく、７℃がより好ましい。
【００４３】
上述のとおり、本発明では、適宜設定された受粉操作を行う期間が経過した後、栽培温度を上昇させるのは、任意のタイミングでよいが、例えば、受粉工程終了後、当日〜３日後であることが好ましい。
【００４４】
上記種子形成、成熟工程における栽培温度は、上記温度差を達成できる限り特に限定されないが、好ましくは２５℃以下、より好ましくは２３℃以下である。また、好ましくは２０℃以上、より好ましくは２２℃以上である。種子形成、成熟工程における栽培温度が上記温度範囲内であると、生育不良を起こすことなく、十分に種子を形成、成熟させることができる。このように、上記種子形成、成熟工程における栽培温度が、２５℃以下であることもまた、本発明の好適な実施形態の１つである。
【００４５】
上記種子形成、成熟工程の栽培期間は、種子を形成、成熟させることができる限り、特に限定されないが、例えば、温度変化後、５日間〜２ヶ月間が好ましく、７日間〜１ヶ月間がより好ましく、１０日間〜１ヶ月間が更に好ましく、２週間〜３週間が特に好ましい。
【００４６】
本発明では、受粉工程、及び、種子形成、成熟工程における上記温度以外の栽培条件（例えば、日照条件や栄養条件など）は、特に限定されず、従来公知の条件で栽培を行えばよい。また、水耕栽培でも土耕栽培でもよい。
【実施例】
【００４７】
実施例に基づいて、本発明を具体的に説明するが、本発明はこれらのみに限定されるものではない。
【００４８】
（実施例１）
［栽培］
ロシアンタンポポ（Ｔａｒａｘａｃｕｍ  ｋｏｋ−ｓａｇｈｙｚ  ＫＡＺ０８−０１５株）の種子を２日間以上４℃で春化処理を行った後、土植えした。
【００４９】
土植え後、２３℃で、明条件１６時間、暗条件８時間の条件下で３ヶ月栽培した。明条件時の葉の位置での照度は７０００〜８０００ｌｘを維持した。暗条件時の葉の位置での照度は１ｌｘ以下を維持した。
【００５０】
［花芽形成］
播種後３ヶ月栽培したロシアンタンポポを１６℃の環境に移し、花芽形成を促した。つぼみができたものは、受粉工程を行う前に自然に受粉しないように、つぼみに袋をかけて栽培した。
【００５１】
［受粉］
花にかけてあった袋を外した後、異なる個体の花同士をこすり合わせることで受粉させた。受粉操作は明条件になってから６時間以内に行った。受粉操作後再び花に袋をかけた。また、花の成熟状態に合わせて受粉操作を２、３日間連続して同じ花同士で行った。
【００５２】
［種子形成］
受粉工程終了後、ロシアンタンポポを２３℃の温度条件で栽培した。栽培は種子が成熟する１５〜２１日間行った。なおその間、光条件は変更せずに行った。
【００５３】
［種子回収、保管］
受粉工程終了から１５〜２１日後、できた綿毛を回収し、総種子数と成熟種子数を確認した。成熟した種子と未成熟の種子は図１に示すように種子の大きさが異なっており、未成熟の種子に比べて成熟した種子の方が種子が十分大きいことから、その種子の大きさで判別した。ロシアンタンポポの成熟した種子（図１の左側２つ）と未成熟の種子（図１の右側２つ）を並べた写真を図１に示す。種子は数を数えた後、デシケーター内で１ヶ月以上保管した。
【００５４】
［成熟種子の発芽能の確認］
成熟した種子の発芽能を確認するため、１ヶ月以上保存した種子について、上記春化処理をし、発芽した個体数を確認して発芽率を求めた。なお、比較として、未成熟種子の発芽率も同様に求めた。
なお、上記発芽率は、以下の式により求めた。
（発芽率〔％〕）＝（発芽した種子数〔個〕÷上記春化処理を施した種子数〔個〕）×１００
【００５５】
（実施例２）
［花芽形成］において、花芽形成を促す際に、ロシアンタンポポを１８℃の環境に移し、［受粉］を１８℃の環境で行った以外は、実施例１と同様にして栽培を行い、受粉工程終了から１５〜２１日後、できた綿毛を回収し、実施例１同様に総種子数と成熟種子数を確認した。また、成熟種子、未成熟種子の発芽率も実施例１と同様にして求めた。
【００５６】
（比較例１）
［栽培］、［花芽形成］、［受粉］を実施例１と同様に行った。
【００５７】
［種子形成］
受粉工程終了後、ロシアンタンポポをそのまま１６℃の温度条件で栽培した。栽培は実施例１と比較して低温条件であるため、種子の成熟が遅くなると考え、２２〜２８日間行った。なおその間、光条件は変更せずに行った。
【００５８】
［種子回収、保管］
受粉工程終了から２２〜２８日後、できた綿毛を回収し、実施例１同様に総種子数と成熟種子数を確認した。
【００５９】
（比較例２）
［栽培］、［花芽形成］、［受粉］を実施例１と同様に行った。
【００６０】
［種子形成］
受粉工程終了後、ロシアンタンポポを１８℃の温度条件で栽培した。栽培は実施例１と比較して低温条件であるため、種子の成熟が遅くなると考え、２２〜２８日間行った。なおその間、光条件は変更せずに行った。
【００６１】
［種子回収、保管］
受粉工程終了から２２〜２８日後、できた綿毛を回収し、実施例１同様に総種子数と成熟種子数を確認した。
【００６２】
実施例、比較例の温度条件と結果を表１に示す。
【００６３】
【表１】
2017195823.tif 000002
【００６４】
なお、表１中、「温度変化幅」とは、受粉工程における栽培温度と、種子形成、成熟工程における栽培温度との差（すなわち、（種子形成、成熟工程における栽培温度）−（受粉工程における栽培温度））を表している。
【００６５】
表１の結果から、種子の形成、成熟を１６℃のままで行った場合（すなわち、受粉工程における栽培温度と、種子形成、成熟工程における栽培温度との差が、０℃である場合）の種子の成熟率は、６．８％であった（比較例１）。これに対して、種子の形成、成熟を２３℃で行った場合（すなわち、受粉工程における栽培温度と、種子形成、成熟工程における栽培温度との差が、７℃である場合）、種子の成熟率は、４２．４％と十分高かった（実施例１）。同様に、種子形成、成熟工程における栽培温度を受粉工程における栽培温度よりも５℃上昇させた実施例２では、種子の成熟率が高いのに対して、種子形成、成熟工程における栽培温度を受粉工程における栽培温度よりも２℃だけ上昇させた比較例２では、比較例１同様、種子の成熟率は低かった。これらのことから、種子形成、成熟工程における栽培温度を受粉工程における栽培温度よりも５℃以上１０℃以下上昇させることで、種子の形成、成熟を促進することができ、成熟種子の獲得率を上げることができることが分かった。
また、実施例における成熟種子の発芽率を求めたところ、いずれも８０％以上の高い発芽率が得られ、得られた種子が問題なく使用できることが分かった。
【図１】
2017195823.tif 000003